(57)【要約】【課題】電力増幅部が起動中に切替器が手動操作される場合においても、切替器を確実に保護することができる切替装置を得る。【解決手段】手動操作部１０は手動操作により同軸切替器６の接続状態を機械的に切替えることができる操作部である。手動操作部１０による操作の有無はセンサー９Ａにより常に監視され、センサー９Ａは手動操作部１０による操作を検知すると、強制的に減力制御を指示する制御信号Ｓ１７を減力制御線１７を介して１号可変ＡＴＴ１及び２号可変ＡＴＴ２に出力する。１号可変ＡＴＴ１及び２号可変ＡＴＴ２は減力制御を指示する制御信号Ｓ１７を受けると、出力を遮断する減力動作を行う。【選択図】図１
2007251292.tif 000002
【特許請求の範囲】
【請求項１】
第１の増幅主信号を出力する第１の増幅信号出力部と、
第２の増幅主信号を出力する第２の増幅信号出力部と、
前記第１及び第２の増幅主信号を受け、前記第１の増幅主信号を正規の出力とする第１の接続状態と、前記第２の増幅主信号を正規の出力する第２の接続状態とを相互に機械的に切替える正規出力切替動作が実行可能な正規出力用切替器と、
手動操作により前記正規出力用切替器の前記正規出力切替動作が可能な手動操作部と、
前記手動操作部による手動操作中において、前記第１及び第２の増幅信号出力部を強制制御して、前記第１及び第２の増幅主信号の信号レベルを、前記正規出力切替動作実行中の前記正規出力用切替器の動作に影響を与えない信号レベルに減力する強制減力処理を実行する強制減力部と、
を備える切替装置。
【請求項２】
請求項１記載の切替装置であって、
前記強制減力部は、前記手動操作部による手動操作時を検出可能な手動検知部を含み、
前記手動検知部は前記手動操作部による手動操作時を検出すると、前記強制減力処理を実行する、
切替装置。
【請求項３】
請求項２記載の切替装置であって、
前記第１の増幅信号出力部は、
第１の主信号を受け、該第１の主信号を減衰させて第１の減衰主信号を出力する第１の減衰器と、
前記第１の減衰主信号を電力増幅して前記第１の増幅主信号を出力する第１の電力増幅部とを含み、
前記第２の増幅信号出力部は、
第２の主信号を受け、該第２の主信号を減衰させて第２の減衰主信号を出力する第２の減衰器と、
前記第２の減衰主信号を電力増幅して前記第２の増幅主信号を出力する第２の電力増幅部とを含み、
前記手動検知部による前記強制減力処理は、前記第１及び第２の減衰器を強制制御して、前記第１及び第２の減衰主信号の出力を遮断する処理を含む、
切替装置。
【請求項４】
請求項２記載の切替装置であって、
前記第１の増幅信号出力部は、
第１の主信号を受け、該第１の主信号を電力増幅して前記第１の増幅主信号を出力する第１の電力増幅部を含み、
前記第２の増幅信号出力部は、
第２の主信号を受け、該第２の主信号を電力増幅して前記第２の増幅主信号を出力する第２の電力増幅部とを含み、
前記手動検知部による前記強制減力処理は、前記第１及び第２の電力増幅部を強制制御して、前記第１及び第２の増幅主信号の出力を遮断する処理を含む、
切替装置。
【請求項５】
請求項１記載の切替装置であって、
前記第１の増幅信号出力部は、
第１の主信号を受け第１及び第２の分配主信号に分配する第１の分配器と、
前記第１及び第２の分配主信号を受け、前記第１の分配主信号を第１の選択分配主信号として出力する第３の接続状態と、前記第２の分配主信号を前記第１の選択分配主信号として出力する第４の接続状態とを相互に機械的に切替える第１の分配切替動作が実行可能な第１の分配信号切替器と、
前記第１の選択分配主信号を電力増幅して前記第１の増幅主信号を出力する第１の電力増幅部とを含み、
前記第２の増幅信号出力部は、
第２の主信号を受け第３及び第４の分配主信号に分配する第２の分配器と、
前記第３及び第４の分配主信号を受け、前記第３の分配主信号を第２の選択分配主信号として出力する第５の接続状態と、前記第４の分配主信号を前記第２の選択分配主信号として出力する第６の接続状態とを相互に機械的に切替える第２の分配切替動作が実行可能な第２の分配信号切替器と、
前記第２の選択分配主信号を電力増幅して前記第２の増幅主信号を出力する第２の電力増幅部とを含み、
前記強制減力部は前記手動操作部を含み、前記手動操作部は、前記手動操作によって、前記正規出力切替動作に加え、前記第１及び第２の分配切替動作も可能な手動操作部を含み、前記第１及び第２の分配切替動作は前記正規出力切替動作よりも先がけて開始され、前記正規出力切替動作の完了よりも後に完了されることを特徴とする、
切替装置。
【発明の詳細な説明】
【技術分野】
【０００１】
この発明は、放送機器等に利用される切替装置に関し、特に、電力増幅部が起動した状態で、同軸切替器を強制的に手動切替を行った際の同軸切替器の保護機能に関するものである。
【背景技術】
【０００２】
従来の電力増幅器の切替装置においては、例えば、特許文献１記載の切替装置のように、出力信号レベル、反射信号レベルを検波し、検波レベルにより、自動で単一の電力増幅部の出力を２つの伝送路の一方から他方に切替える構成にしている。
【０００３】
【特許文献１】実公１９９４−３８４９５号公報
【発明の開示】
【発明が解決しようとする課題】
【０００４】
従来の切替装置は以上のように構成されているため、自動制御による切替動作では、電力増幅部を停止し切替を行うことにより、同軸切替器の焼損を防いでいるが、同軸切替器の手動操作部は監視しておらず、電力増幅部が起動中で信号出力中に手動操作部を誤って操作してしまうと、同軸切替器が焼損するという問題点があった。
【０００５】
この発明は上記のような問題点を解消するためになされたもので、電力増幅部が起動中に同軸切替器が手動操作される場合においても、切替器を確実に保護することができる切替装置を得ることを目的とする。
【課題を解決するための手段】
【０００６】
この発明に係る請求項１記載の切替装置は、第１の増幅主信号を出力する第１の増幅信号出力部と、第２の増幅主信号を出力する第２の増幅信号出力部と、前記第１及び第２の増幅主信号を受け、前記第１の増幅主信号を正規の出力とする第１の接続状態と、前記第２の増幅主信号を正規の出力する第２の接続状態とを相互に機械的に切替える正規出力切替動作が実行可能な正規出力用切替器と、手動操作により前記正規出力用切替器の前記正規出力切替動作が可能な手動操作部と、前記手動操作部による手動操作中において、前記第１及び第２の増幅信号出力部を強制制御して、前記第１及び第２の増幅主信号の信号レベルを、前記正規出力切替動作実行中の前記正規出力用切替器の動作に影響を与えない信号レベルに減力する強制減力処理を実行する強制減力部とを備える。
【発明の効果】
【０００７】
この発明における請求項１記載の切替装置の強制減力部は、前記手動操作部による手動操作中において、前記第１及び第２の増幅信号出力部を強制制御して、前記第１及び第２の増幅主信号の信号レベルを、前記正規出力切替動作実行中の前記正規出力用切替器に悪影響を与えない信号レベルに減力する強制減力処理を実行している。
【０００８】
したがって、第１及び第２の増幅信号出力部の動作中に手動操作部によって手動操作される場合においても、正規出力用切替器の動作に影響を与えることがないため、正規出力用切替器を確実に保護することができる効果を奏する。
【発明を実施するための最良の形態】
【０００９】
＜実施の形態１＞
図１はこの発明の実施の形態１である切替装置の構成を示すブロック図である。同図に示すように、１号主信号ＭＳ１及び２号主信号ＭＳ２（第１及び第２の主信号）が１号主信号入力線１８及び主信号線１９を介して１号可変ＡＴＴ１及び２号可変ＡＴＴ２（第１及び第２の減衰器）に入力される。なお、上記したＡＴＴは、「アッテネータ（Attenuator）；減衰器」を意味する。１号可変ＡＴＴ１及び２号可変ＡＴＴ２は１号主信号ＭＳ１及び２号主信号ＭＳ２を減衰して減衰主信号ＭＳ１ｔ及びＭＳ２ｔ（第１及び第２の減衰主信号）を出力する。
【００１０】
減衰主信号ＭＳ１ｔは主信号線１９を介して１号電力増幅部３（第１の電力増幅部）に付与され、減衰主信号ＭＳ２ｔは主信号線２２を２号電力増幅部５（第２の電力増幅部）に付与される。１号電力増幅部３及び２号電力増幅部５は、減衰主信号ＭＳ１ｔ及びＭＳ２ｔを電力増幅して増幅主信号ＭＳ１ｍ及びＭＳ２ｍ（第１及び第２の増幅主信号）を出力する。増幅主信号ＭＳ１ｍは主信号線２０を介して同軸切替器６の一方入力部６ａに付与され、増幅主信号ＭＳ２ｍは主信号線２３を介して同軸切替器６の他方入力部６ｂに付与される。
【００１１】
このように、１号可変ＡＴＴ１及び１号電力増幅部３が増幅主信号ＭＳ１ｍを出力する第１の増幅信号出力部として機能し、２号可変ＡＴＴ２及び２号電力増幅部５が増幅主信号ＭＳ２ｍを出力する第２の増幅信号出力部として機能する。
【００１２】
１号電力増幅部３及び２号電力増幅部５の電力増幅内容は監視信号線１２及び１４を介して制御器４により監視され、制御器４は電源制御線１１及び１３を介して制御信号Ｓ１１及びＳ１３を与えることにより１号電力増幅部３及び２号電力増幅部５を電源（電力増幅内容を）制御する。さらに、制御器４は同軸切替器６の切替内容を監視信号線１６を介して監視し、切替制御線１５を介して同軸切替器６に切替制御信号Ｓ１５を付与することにより、同軸切替器６を自動的に切替制御する。
【００１３】
正規出力切替器である同軸切替器６は一方入力部６ａ及び他方入力部６ｂのうち一方をアンテナ出力部６ｃ（正規の出力）に接続し、他方をダミー出力部６ｄに接続する。アンテナ出力部６ｃは主信号線２５を介してアンテナ８に接続され、ダミー出力部６ｄは主信号線２４を介してダミー部７に接続される。ここで、図１に示すように、一方入力部６ａをアンテナ出力部６ｃに接続し、他方入力部６ｂをダミー出力部６ｄに接続する場合（増幅主信号ＭＳ１ｍを正規の出力とする場合）を第１の接続状態とし、図１とは逆に、一方入力部６ａをダミー出力部６ｄに接続し、他方入力部６ｂをアンテナ出力部６ｃに接続する場合（増幅主信号ＭＳ２ｍを正規の出力とする場合）を第２の接続状態とする。
【００１４】
なお、ダミー部７は、終端器（擬似アンテナ）を意味する。出力を開放（何もつながない状態）で電力増幅部３，５を起動すると、開放端で全反射が起こり、電力が電力増幅部３，５に戻ってくることにより、電力増幅部３，５を故障させてしまう恐れがある。そこで、ダミー部７は、抵抗を内蔵しており、入力された電力を消費するようにできているため、ダミー部７によって電力を吸収し、上記した反射が発生しないようにしている。
【００１５】
アンテナ８は主信号線２５より得られる正規の出力信号（増幅主信号ＭＳ１ｍ及びＭＳ２ｍのいずれか）を送信する。
【００１６】
手動操作部１０は手動操作により同軸切替器６の接続状態（第１及び第２の接続状態）を機械的に切替えることができる操作部である。手動操作部１０による操作の有無はセンサー９Ａにより常に監視され、センサー９Ａは手動操作部１０による操作を検知すると、強制的に減力制御を指示する制御信号Ｓ１７を減力制御線１７を介して１号可変ＡＴＴ１及び２号可変ＡＴＴ２に出力する。
【００１７】
１号可変ＡＴＴ１及び２号可変ＡＴＴ２は制御信号Ｓ１７が通常出力を指示するとき１号主信号ＭＳ１及び２号主信号ＭＳ２を所定レベルに減衰させる通常の減衰処理を行い、減力制御を指示する制御信号Ｓ１７を受けると、出力を遮断する減力動作を行う。
【００１８】
このような構成において、制御器４から同軸切替器６に対し、切替制御線１５を介した切替制御によって制御できない何らかの異常が発生した場合、手動操作部１０を手動操作することにより同軸切替器６の接続状態を切替える必要がある。
【００１９】
しかしながら、電力増幅部３，５から通常の電力出力がある状態で、同軸切替器６を切り替える（第１の接続状態から第２の接続状態あるいはその逆）中間段階において、一方入力部６ａ及び他方入力部６ｂは一時的に開放状態になる。したがって、主信号線２０及び２３に過大な電力を入力したまま手動操作部１０を操作して手動で同軸切替器６の切替操作を行うと、開放状態の接点間(入力あるいは出力と入出力間の電気的接続手段（電極等）)にストレスがかかり、同軸切替器６が焼損する危険性がある。
【００２０】
そこで、実施の形態１では、操作者が、同軸切替器６の手動操作部１０を手動操作しようとしたとき、センサー９Ａは手動操作を検出する。そして、手動操作を検出したセンサー９Ａは、１号可変ＡＴＴ１および２号可変ＡＴＴ２に対して、減力制御線１７を介して減力制御を指示する制御信号Ｓ１７を出力する。
【００２１】
その結果、１号可変ＡＴＴ１及び２号可変ＡＴＴ２はその出力（減衰主信号ＭＳ１ｔ及びＭＳ２ｔ）を遮断する減力動作を行うため、１号電力増幅部３と２号電力増幅部５への入力信号は遮断され、１号電力増幅部３、２号電力増幅部５が起動していても、同軸切替器６への入力信号（増幅主信号ＭＳ１ｍ及びＭＳ２ｍ）は実質的にゼロとなるため、電力増幅部３，５の起動中においても同軸切替器６の手動操作時に、同軸切替器６の焼損が生じることなく、同軸切替器６を確実に保護することができる効果を奏する。
【００２２】
その後、手動操作部１０による同軸切替器６の切替が完了すると、センサー９Ａは手動操作の終了を検知する。そして、センサー９Ａは通常出力を指示する制御信号Ｓ１７を１号可変ＡＴＴ１及び２号可変ＡＴＴ２に与え、１号可変ＡＴＴ１及び２号可変ＡＴＴ２に通常の減衰動作を実行させる。
【００２３】
上記のように、実施の形態１の切替装置は、強制減力部として機能するセンサー９Ａが手動操作部１０の手動操作を検出すると、減力制御を指示する制御信号Ｓ１７を出力して１号可変ＡＴＴ１及び２号可変ＡＴＴ２の出力を遮断させる強制減力処理を実行することにより、同軸切替器６を焼損から確実に保護することができる。
【００２４】
なお、実施の形態１では、１号可変ＡＴＴ１及び２号可変ＡＴＴ２の出力を遮断させたが、増幅主信号ＭＳ１ｍ及びＭＳ２ｍの信号レベルが、同軸切替器６を損傷させない等、同軸切替器６の動作に影響を与えない程度の信号レベルに減衰主信号ＭＳ１ｔ及びＭＳ２ｔを減力できれば良い。
【００２５】
＜実施の形態２＞
図２はこの発明の実施の形態２である切替装置の構成を示すブロック図である。同図に示すように、実施の形態１のセンサー９Ａに替えてセンサー９Ｂが用いられる点、１号可変ＡＴＴ１及び２号可変ＡＴＴ２が省略された点が異なる。
【００２６】
センサー９Ｂは、手動操作部１０による操作の有無を監視し、センサー９Ｂは手動操作部１０による操作を検知すると、遮断制御を指示する制御信号Ｓ２６を電源制御線２６を介して１号電力増幅部３及び２号電力増幅部５に出力する。
【００２７】
１号電力増幅部３及び２号電力増幅部５は１号可変ＡＴＴ１及び２号可変ＡＴＴ２を直接受ける。そして、１号電力増幅部３及び２号電力増幅部５は、制御信号Ｓ２６が通常出力を指示するとき１号主信号ＭＳ１及び２号主信号ＭＳ２を、制御器４の制御信号Ｓ１１及びＳ１３に従い増幅させる通常の増幅処理を行い、減力制御を指示する制御信号Ｓ２６を受けると、出力を遮断する減力動作を行う。すなわち、１号電力増幅部３及び２号電力増幅部５がそれぞれが単体で第１及び第２の増幅信号出力部として機能する。なお、他の構成は図１で示した実施の形態１と同様であるため、説明を省略する。
【００２８】
このような構成において、操作者が、同軸切替器６の手動操作部１０を手動操作しようとしたとき、センサー９Ｂは手動操作状態を検出する。そして、手動操作を検出したセンサー９Ｂは、１号電力増幅部３及び２号電力増幅部５に対して、電源制御線２６を介して遮断制御を指示する制御信号Ｓ２６を出力する。
【００２９】
１号電力増幅部３及び２号電力増幅部５は、遮断制御を指示する制御信号Ｓ２６を受けると、制御器４からの制御信号Ｓ１１及びＳ１３の指示に関係なく、増幅主信号ＭＳ１ｍ及びＭＳ２ｍの出力を遮断する。
【００３０】
その結果、１号電力増幅部３及び２号電力増幅部５はその出力を遮断する減力動作を行うことにより、増幅主信号ＭＳ１ｍ及びＭＳ２ｍは共に実質出力が“０”となるため、電力増幅部３，５の起動中においても同軸切替器６の手動操作時に、同軸切替器６を焼損等の悪影響から確実に保護することができる効果を奏する。
【００３１】
上記のように、実施の形態２の切替装置は、強制減力部として機能するセンサー９Ｂが手動操作部１０の手動操作を検出すると、減力制御を指示する制御信号Ｓ２６を出力して１号電力増幅部３及び２号電力増幅部５の出力を遮断させる強制減力処理を実行することにより、同軸切替器６を焼損等の悪影響から確実に保護することができる。
【００３２】
なお、実施の形態２では、１号電力増幅部３及び２号電力増幅部５はその出力を遮断させたが、同軸切替器６の動作に影響を与えない程度の信号レベルに増幅主信号ＭＳ１ｍ及びＭＳ２ｍを減力できれば良い。
【００３３】
＜実施の形態３＞
図３はこの発明の実施の形態３である切替装置の構成を示すブロック図である。同図に示すように、実施の形態１のセンサー９Ａを設けることなく、１号電力増幅部３の前段に分配器２７、ダミー部３３及び同軸切替器３５からなる分配信号供給部５１を設けるとともに、２号電力増幅部５の前段に分配器２８、ダミー部３４及び同軸切替器３６からなる分配信号供給部５２を設けている。
【００３４】
分配信号供給部５１において、分配器２７は１号主信号ＭＳ１を受け、１号主信号ＭＳ１を２分配して分配主信号ＭＳ１ａ及びＭＳ１ｂ（第１及び第２の分配主信号）を出力する。分配主信号ＭＳ１ａは主信号線２９を介して同軸切替器３５の一方入力部３５ａに付与され、分配主信号ＭＳ１ｂは主信号線３１を介して同軸切替器３５の他方入力部３５ｂに付与される。
【００３５】
同軸切替器３５（第１の分配信号切替器）は一方入力部３５ａ及び他方入力部３５ｂのうち一方を増幅用出力部３５ｃに接続し、他方をダミー出力部３５ｄに接続する。増幅用出力部３５ｃより得られる選択信号（第１の選択分配主信号）が主信号線１９を介して１号電力増幅部３に接続され、ダミー出力部３５ｄはダミー部３３に接続される。ここで、図３に示すように、一方入力部３５ａを増幅用出力部３５ｃに接続し、他方入力部３５ｂをダミー出力部３５ｄに接続する場合（分配主信号ＭＳ１ａを第１の選択分配主信号として選択する場合）を第３の接続状態とし、図３とは逆に、一方入力部３５ａをダミー出力部３５ｄに接続し、他方入力部３５ｂを増幅用出力部３５ｃに接続する場合（分配主信号ＭＳ１ｂを第１の選択分配主信号として選択する場合）を第４の接続状態とする。
【００３６】
分配信号供給部５２において、分配器２８は２号主信号ＭＳ２を受け、２号主信号ＭＳ２を２分配して分配主信号ＭＳ２ａ及びＭＳ２ｂ（第３及び第４の分配主信号）を出力する。分配主信号ＭＳ２ａは主信号線３０を介して同軸切替器３６の一方入力部３６ａに付与され、分配主信号ＭＳ２ｂは主信号線３２を介して同軸切替器３６の他方入力部３６ｂに付与される。
【００３７】
同軸切替器３６（第２の分配信号切替器）は一方入力部３６ａ及び他方入力部３６ｂのうち一方を増幅用出力部３６ｃに接続し、他方をダミー出力部３６ｄに接続する。増幅用出力部３６ｃより得られる選択信号（第２の選択分配主信号）は主信号線２２を介して２号電力増幅部５に接続され、ダミー出力部３６ｄはダミー部３３に接続される。ここで、図３に示すように、一方入力部３６ａを増幅用出力部３６ｃに接続し、他方入力部３６ｂをダミー出力部３６ｄに接続する場合（分配主信号ＭＳ２ａを第２の選択分配主信号として選択する場合）を第５の接続状態とし、図３とは逆に、一方入力部３６ａをダミー出力部３６ｄに接続し、他方入力部３６ｂを増幅用出力部３６ｃに接続する場合（分配主信号ＭＳ２ｂを第２の選択分配主信号として選択する場合）を第６の接続状態とする。
【００３８】
したがって、実施の形態２は、分配信号供給部５１と１号電力増幅部３とにより増幅主信号ＭＳ１ｍを出力する第１の増幅信号出力部を構成し、分配信号供給部５２と２号電力増幅部５とにより増幅主信号ＭＳ２ｍを出力する第２の増幅信号出力部を構成する。
【００３９】
手動操作部４０は手動操作により同軸切替器６の接続状態を機械的に切替える。さらに、手動操作部４０は連動制御線４１を介して同軸切替器３５及び３６に接続され、機械的または電気的に手動操作部４０の操作内容に連動する形式で、同軸切替器３５及び３６を接続状態の切替動作を行うことができる。なお、他の構成は図１で示した実施の形態１と同様であるため説明は省略する。
【００４０】
図４は手動操作部４０による同軸切替器６の切替動作及びそれに連動する同軸切替器３５（３６）の切替動作を示す説明図である。説明の都合上、図４に示すように、手動操作開始時刻ｔ０以前において、同軸切替器６は第１の接続状態であり、同軸切替器３５は第３の接続状態であり、同軸切替器３６は第５の接続状態であったと仮定する。
【００４１】
操作者が手動操作開始時刻ｔ０において手動操作部４０を用いて手動操作を開始した場合、主切替動作開始時刻ｔ２に先がけて、連動切替動作開始時刻ｔ１に同軸切替器３５及び同軸切替器３６の切替動作が開始される。したがって、連動切替動作開始時刻ｔ１以降は、同軸切替器３５及び３６は第３及び第４の状態から第５及び第６の状態への移行期間に入る。
【００４２】
したがって、上記移行期間においては、同軸切替器３５及び３６の増幅用出力部３５ｃ及び３６ｃからの出力は遮断されるため、後段の１号電力増幅部３及び２号電力増幅部５の出力である増幅主信号ＭＳ１ｍ及びＭＳ２ｍも実質“０”となる。なお、同軸切替器３５及び３６の一方入力部３５ａ（３６ａ）及び他方入力部３５ｂ（３６ｂ）に入力される分配主信号ＭＳ１ａ及びＭＳ１ｂ（分配主信号ＭＳ２ａ及びＭＳ２ｂ）は比較的信号レベルが小さい１号主信号ＭＳ１（２号主信号ＭＳ２）がさらに２分配された信号であるため、分配主信号ＭＳ１ａ及びＭＳ１ｂ（分配主信号ＭＳ２ａ及びＭＳ２ｂ）の入力がある状態で同軸切替器３５（３６）の切替動作を行っても同軸切替器３５（３６）に焼損等、２５６の動作に影響を与える問題は生じない。
【００４３】
その後、主切替動作開始時刻ｔ２に同軸切替器６の切替動作が開始され、主切替動作終了時刻ｔ３に切替動作は完了する。一方、同軸切替器３５及び３６は切替動作続行中であるため、以前として増幅主信号ＭＳ１ｍ及びＭＳ２ｍは実質ゼロであり、電力増幅部３，５が起動中においても同軸切替器６の手動操作時に、同軸切替器６を焼損等の悪影響から確実に保護することができる効果を奏する。
【００４４】
その後、連動切替動作終了時刻ｔ４において、同軸切替器３５及び３６の切替動作が完了し、第５及び第６の接続状態に切り替わり、同軸切替器３５及び３６の切替動作が完了する。
【００４５】
このように、１号電力増幅部３及び２号電力増幅部５の前段に同軸切替器３５及び３６を設け、同軸切替器６の手動操作部４０による実質的な切替期間（ｔ２〜ｔ３）においては、必ず、同軸切替器３５及び３６それぞれを切替動作期間に設定することにより、実施の形態４の切り替え装置は、電力増幅部３，５の起動中においても、同軸切替器６の手動操作時に同軸切替器６を焼損等の悪影響から確実に保護することができる効果を奏する。
【図面の簡単な説明】
【００４６】
【図１】この発明の実施の形態１である切替装置の構成を示すブロック図である。
【図２】この発明の実施の形態２である切替装置の構成を示すブロック図である。
【図３】この発明の実施の形態３である切替装置の構成を示すブロック図である。
【図４】この発明の実施の形態３による３つの同軸切替器の手動切替動作タイミングを示す説明図である。
【符号の説明】
【００４７】
１  １号可変ＡＴＴ、２  ２号可変ＡＴＴ、３  １号電力増幅部、４  制御器、５  ２号電力増幅部、６，３５，２６  同軸切替器、７，３３，３４  ダミー部、８  アンテナ、９Ａ，９Ｂ  センサー、１０，４０  手動操作部、１７  減力制御線、２６  電源制御線、２７，２８  分配器、４１  連動制御線、５１，５２  分配信号供給部。
【図１】
2007251292.tif 000003
【図２】
2007251292.tif 000004
【図３】
2007251292.tif 000005
【図４】
2007251292.tif 000006